(57)【要約】【課題】商品の受止め支持によって生じる腰折れによる痕跡、商品内容液のにじみ出しや液漏れ、商品が傾いた状態となるたおれの解消を図ることができる自動販売機の商品払出装置を提供する点にある。【解決手段】複数の商品Ｇを積重ね収納する収納搬送通路１の下部に、最下端に位置する商品Ｇ１を受止め支持する下部ストッパー２と、最下端から二番目に位置する商品Ｇ２を押圧状態で受止め支持する上部ストッパー４とを配設してある構成において、前記上部ストッパー４の商品押え部の幅方向中央部３０Ａが，幅方向両端部３０Ｂよりも先行して商品Ｇを押圧するように構成されている。【選択図】　　　　図８
2004102454.tif 000002
【特許請求の範囲】
【請求項１】
複数の商品を積重ね収納する収納搬送通路の下部に、最下端に位置する商品を受止め支持する下部ストッパーと、最下端から二番目に位置する商品を押圧状態で受止め支持する上部ストッパーとを配設して、最下端から二番目に位置する商品を受止めながら最下端に位置する商品を一つずつ払い出すように構成してある自動販売機の商品払出装置であって、
前記上部ストッパーの商品押え部の幅方向中央部が，幅方向両端部よりも先行して商品を押圧するように構成されている自動販売機の商品払出装置。
【請求項２】
前記上部ストッパーの商品押え部が凸形状に形成されていて，幅方向中央部の押え面と幅方向両端部の押え面との間の段差面が弧状に形成されている請求項１記載の自動販売機の商品払出装置。
【請求項３】
前記上部ストッパーが、払出しフレームに対して昇降自在に組み付けられた可動部材に上下揺動自在に支承されているとともに、この可動部材には、払出しフレームに形成された高さ変更操作ガイド溝内の複数位置で選択的に係合可能な高さ変更操作レバーが一体形成されている請求項１又は２記載の自動販売機の商品払出装置。
【請求項４】
前記上部ストッパーの揺動軸部を支承する可動部材の軸受け部が、収納搬送通路とは反対側に向いて開口形成されている請求項１、２又は３記載の自動販売機の商品払出装置。
【発明の詳細な説明】
【０００１】
【発明の属する技術分野】
本発明は、上下に積重ねた商品を下部から一つずつ払出可能にする自動販売機の商品払出装置に関する。
【０００２】
【従来の技術】
牛乳、ジュース、お茶等の飲料を紙パック等で包装した商品を販売する従来の自動販売機は、図１３，図１４に示すように、複数の商品Ｇを上下方向に積重ね収納する収納搬送通路１の下部に、最下端に位置する商品Ｇを受止め支持する下部ストッパー２００と、最下端から二番目に位置する商品Ｇ２を壁板Ｋに押圧状態で受止め支持する上部ストッパー４００とを配設して、下部ストッパー２００の下面側に配設してある半円盤状の操作片１１０を縦軸Ｘ２周りで回動させることによって、最下端から二番目に位置する商品Ｇ２を受止めながら、下部ストッパー２００による最下端に位置する商品Ｇ１の受止め支持を解除して払い出し、この商品Ｇ１の払出しが完了すると、最下端から二番目に位置する商品Ｇ２の受止め支持の解除に連動して、下部ストッパー２００の下面側に操作片１１０を下面側から受止めて、この下部ストッパー２００に残る商品Ｇの受止め支持が可能な構成になっているものである。
【０００３】
ここで、紙パック商品を扱う自動販売機を掲載する公報には、上部ストッパーと下部ストッパーの開示はあるものの、内容的には、存在のみにとどまり構造の詳細は見当たらないため、従来の上部ストッパーと下部ストッパーの詳細構造を図１３〜図１６を用いて説明している。
【０００４】
【発明が解決しようとする課題】
ところが、紙パック商品の多くは立方体状のものであり、上部ストッパー４００による商品Ｇの受止め支持は、商品の胴部幅方向の中央部に横方向から上部ストッパー４００の先端部４００Ａを押し付け支持するものであり、例えば、図１５に示すように、収納搬送通路１の前後に片寄った商品Ｇを受止め支持するような場合、上部ストッパー４００の先端部４００Ａが紙パック商品Ｇの角部を押しつけることになるため、稀に商品の角部に受止め支持による腰折れ（折れ目）が痕跡として残り，購入商品の見栄えを悪くする問題があった。特に、このような角部に腰折れがある状態で、紙パック商品を押しつけると、紙パックの角部の頂部やシール部（接合部）から内容液がにじみ出たり、液漏れが発生したりする問題があった。
また、図１６に示すように、収納搬送通路１の前後に片寄った商品Ｇの角部を押し付けない状態で受止め支持するような場合、商品Ｇに腰折れを生じる懸念はないものの、重量バランスの悪い受止め支持状態であるので、小型商品であれば重量的に滑り落ちない水平な受止め支持状態に保持することができても、大型商品の場合、受止め支持されない側が落ち込んで商品が傾いて商品の勝手な滑り落ちの原因ともなる、所謂、たおれＴが生じる懸念があった。
そのため、幅狭な上部ストッパーを用いて、商品の中央部を確実に受止め支持可能にすることも考えられるが、小型商品の受止め支持に対応することができても、大型商品では受止め支持が不安定となる問題があり現実的な解消策ではない。
【０００５】
本発明は、上述の実状に鑑みて為されたものであって、その主たる課題は、商品の受止め支持によって生じる腰折れによる痕跡、商品内容液のにじみ出しや液漏れ、受止め支持の際の商品の傾いた状態となるたおれの解消を図ることができる自動販売機の商品払出装置を提供する点にある。
【０００６】
【課題を解決するための手段】
本発明の請求項１による自動販売機の商品払出装置の特徴構成は、複数の商品を積重ね収納する収納搬送通路の下部に、最下端に位置する商品を受止め支持する下部ストッパーと、最下端から二番目に位置する商品を押圧状態で受止め支持する上部ストッパーとを配設して、最下端から二番目に位置する商品を受止めながら最下端に位置する商品を一つずつ払い出すようにしてある構成において、前記上部ストッパーの商品押え部の幅方向中央部が，幅方向両端部よりも先行して商品を押圧するように構成されている点にある。
【０００７】
［作用］
上記特徴構成によれば、上部ストッパーによる最下端から二番目に位置する商品に対して、主に上部ストッパーの商品押え部の幅方向中央部によって受止め支持がなされ、上部ストッパーの商品押え部の幅方向両端部が従属する受止め支持状態を形成し、前者の上部ストッパーにおける商品押え部の幅方向中央部の受止め支持力よりも後者の上部ストッパーの商品押え部の幅方向両端部による受止め支持力を小さくすることができ、商品角部に上部ストッパーの商品押え部の幅方向両端部が圧接することがあっても、商品コーナー部分への押圧力は小さいので、払出された商品に上部ストッパーによる腰折れによる痕跡を残すことがなく，腰折れを生じにくいので、商品内容物のにじみ出しや液漏れの解消を図ることができるとともに、例え、重量バランスの悪い受止め支持状態にあったとしても、先行する上部ストッパーの商品押え部の幅方向中央部と、これよりもずれた位置の幅方向両端部とによって商品を受止め支持することになり、バランスのよい商品保持状態を形成することができるので、大型商品であっても、商品が傾くといった、所謂、たおれなどを生じ難い。
【０００８】
［効果］
従って、払い出される商品の品質が損なわれる懸念がないとともに、商品の安定支持を可能にすることができるので、自動販売機の信頼性の向上を図ることができる。
【０００９】
本発明の請求項２による自動販売機の商品払出装置の特徴構成は、前記上部ストッパーの商品押え部が凸形状に形成されていて，幅方向中央部の押え面と幅方向両端部の押え面との間の段差面が弧状に形成されている点にある。
【００１０】
［作用］
上記特徴構成によれば、上部ストッパーの商品押え部によって商品の受止め支持がなされるが、幅方向中央部の押え面による受止め支持力に比べて、幅方向中央部の押え面と幅方向両端部の押え面との間の段差面になるほど受止め支持力が漸次に弱くなる状態を形成することができ、段差面によって受止め支持の強い部分から弱い部分へと変遷する受止め支持部分が形成されることになるので、主に上部ストッパーの幅方向中央部に押圧力が集中して商品を受止め支持する状態を形成することができるとともに、商品コーナー部分に上部ストッパーの商品押え部の幅方向両端部が対応することがあっても、商品コーナー部分への押圧力は小さいので、払出された商品に上部ストッパーによる腰折れによる痕跡を残すことがなく，腰折れを生じにくいので、商品内容物のにじみ出しや液漏れの解消を図ることができるとともに、例え、重量バランスの悪い受止め支持状態にあったとしても、先行する上部ストッパーの商品押え部の幅方向中央部から、これよりもずれた位置で幅方向両端部にいたるまで連続して商品を受止め支持することになり、バランスのよい商品保持状態を形成することができるので、大型商品であっても、商品が傾くといった、所謂、たおれなどを生じ難い。
【００１１】
［効果］
従って、払い出される商品の品質が損なわれる懸念がないとともに、商品の安定支持を可能にすることができるので、自動販売機の信頼性の向上を図ることができる。
【００１２】
本発明の請求項３による自動販売機の商品払出装置の特徴構成は、前記上部ストッパーが、払出しフレームに対して昇降自在に組み付けられた可動部材に上下揺動自在に支承されているとともに、この可動部材には、払出しフレームに形成された高さ変更操作ガイド溝内の複数位置で選択的に係合可能な高さ変更操作レバーが一体形成されている点にある。
【００１３】
［作用］
上記特徴構成によれば、収納搬送通路における積層方向の高さが異なる商品に対応して、高さ変更操作レバーを操作して上部ストッパーを最適な位置に変更して、高さの異なる商品に対応することができる。
【００１４】
［効果］
従って、多様な商品に対して、受止め痕跡を残さない状態で受止め支持することができるので、受止め品質の均一化を図ることができる。
【００１５】
本発明の請求項４による自動販売機の商品払出装置の特徴構成は、前記上部ストッパーの揺動軸部を支承する可動部材の軸受け部が、収納搬送通路とは反対側に向いて開口形成されている点にある。
【００１６】
［作用］
上記特徴構成によれば、製品組立ての際に、可動部材の軸受け部に対して上部ストッパーの揺動軸部を開口形成側から簡単に支承して両者を組み付けることができる。
【００１７】
［効果］
従って、製作性の向上を図ることができる。
【００１８】
【発明の実施の形態】
〔実施形態〕
以下、本発明の自動販売機の商品払出装置Ａを適用した一実施形態を図１〜図１２に示す図面に基づいて説明する。
この実施形態における自動販売機は、ジュース類、牛乳類等の飲料を立方体形態の紙パックからなる包装容器に詰め込んだ商品Ｇ等を対象とするものであり、図示しないが、商品サンプルにある複数の商品Ｇが、対応する収納搬送通路１，１の上下方向に積層する状態で在庫され、購入者が選択ボタンスイッチを操作して商品選択することによって、積層された最下端に位置する対応商品が払い出される構造になっている。
【００１９】
前記商品払出装置Ａは、図１，図２、図５に示すように、左右の壁板Ｋ，Ｋのほぼ中央に配置されて，左壁板Ｋとの対面間と、右壁板Ｋとの対面間とに収納搬送通路１，１が形成されると言うように、２列の収納搬送通路１，１のほぼ中間位置に配置されており、各収納搬送経路１，１に対応して最下部に売切れ検知レバー３を備えた下部ストッパー２，２が設けられ、更に上部に位置して上部ストッパー４，４が払出しフレームＢの窓Ｂ１を介して設けられている。
【００２０】
前記下部ストッパー２，２は、図１，図３，図４に示すように、各収納搬送通路１，１の最下端に位置する商品Ｇ１を受止め支持する払出待機位置Ｈ１と受止め商品Ｇを下方に払い出す払出位置Ｈ２とに揺動切り替え自在な構造になっている。また、左右両下部ストッパー２，２間には、各両下部ストッパー２，２を払出位置Ｈ２に揺動付勢する弾性付勢体であるコイルスプリング５が設けられ、コイルスプリング５の付勢力に抗して払出待機位置Ｈ１に係止保持する状態と、一方の下部ストッパー２の係止を販売指令信号に基づいて解除する状態とに切り替え作動させる切り替え作動手段６が設けられている。
【００２１】
このような商品払出装置Ａは、図２〜図８に示すように、複数の商品Ｇを積重ね収納する各収納搬送通路１，１の下部に、最下端に位置する商品Ｇ１を受止め支持する下部ストッパー２と、最下端から二番目に位置する商品Ｇ２を壁板への押圧状態で受止め支持する上部ストッパー４とを配設して、最下端から二番目に位置する商品Ｇ２を受止めながら最下端に位置する商品Ｇ１を一つずつ払い出すように構成してあり、前記各上部ストッパー４，４の商品押え部３０の幅方向中央部３０Ａが、凸形状に形成されていて，幅方向中央部３０Ａの押え面と幅方向両端部３０Ｂの押え面との間の段差面３０Ｃが弧状に形成され、幅方向両端部３０Ｂよりも先行して商品Ｇを押圧するように構成されている。
【００２２】
また、前記各下部ストッパー２，２の基端部には、払出しフレームＢの下端部に設けられた一対の軸受け部Ｂ２，Ｂ２に対応する一対の横軸部２ｂ，２ｂが一体形成されて、横軸２ｂ，２ｂ周りで上下揺動が可能になっている。
【００２３】
さらに、前記各下部ストッパー２，２の先端部に、売切れ検知レバー３の基端部３ａが揺動支点軸３ｃを介して横軸芯Ｘ１周りで揺動自在に枢着されているとともに、売切れ検知レバー３の基端部３ａには、コイルスプリング５に対する取付け部３ｂが設けられ、売切れ検知レバー３を介して下部ストッパー２が払出位置Ｈ２に揺動付勢されているとともに、前記コイルスプリング５の弾性付勢力で両売切れ検知レバー３を検知作用位置に付勢される連係構造になっていることによって、各下部ストッパー２，２の商品受け面よりも売切れ検知レバー３が上方に突出して商品Ｇの有無を検出可能になっている。
【００２４】
また、この売切れ検知レバー３の先端部の左右個所には、ストッパー片３ｄ，３ｄが一体形成されており、金属製の操作線状体２０の下端部を、左側のストッパー片３ｄに係止するとともに、操作線状体２０の上端部を、後述するモーター装置７に設けられた検知スイッチ２１の感知片２１ａに係止連結して、横売切れ検知レバー３が軸芯Ｘ１周りで，下部ストッパー２に近接する状態では、商品Ｇが下部ストッパー２に受止め状態にあることを受けて、売切れを感知せず、下部ストッパー２から離隔する状態では、商品Ｇが下部ストッパー２に受止め状態にないことを受けて、売切れを感知するスイッチ構成になっている。図中３ｅ，３ｅは、下部ストッパー２の係止孔２ａ，２ａに対して設定された揺動限界位置で係止状態になる係止爪である。
【００２５】
ここで、下部ストッパー２の基端部には、図２に示すように、売切れ検知レバー３の基端部３ａの揺動支点軸３ｃに対して径方向から嵌合する軸受け部１２ｅが一体形成されている。
【００２６】
この軸受け部１２ｅは、売切れ検知レバー３の揺動支点軸３ｃを直径方向両側から脱着自在に嵌合支持するべく，互いに反対側に向かって開口する軸受け凹部１２ｆを備えた拡径側に弾性変形可能な二種の軸受け片１２ｇ…の組み合わせから構成されている。この実施形態では、軸長手方向に沿って二種の軸受け片１２ｇ、１２ｇが交互に３組配置されて軸受け部１２ｅが構成されている。図１０に示すように、下部ストッパー２の各軸受け片１２ｇの弾性変形力に抗して軸受け部１２ｅに、売切れの揺動支点軸３ｃを嵌合することによって、両者を簡単に連結することができるとともに、軸受け部１２ｅは、金型抜き方向に対応して形成されており、成型の際の型抜きに配慮された構造になっている。
【００２７】
商品払出装置Ａには、払出しフレームＢの上部に減速装置を介してモーター出力するモーター装置７が配備され、このモーター装置７の出力軸に操作軸８の基端８Ａが連結され、操作軸８の中間部に偏芯カム９が設けられ、操作軸８の先端に半円盤状の操作片１０が設けられている。
【００２８】
前記両上部ストッパー４，４は、払出しフレームＢに対して高さ変更機構１１を介して昇降自在に組み付けられた可動部材１２に上下揺動自在に支承されており、このような上部ストッパー４に対して前記偏芯カム９は、上部ストッパー４，４の上下位置変更範囲に亘って対応可能な上下長さに配置され、偏芯カム９が操作軸８を中心に回動することによって対応する上部ストッパー４の上下揺動が可能になっている。
【００２９】
また、前記操作片１０に対して左右の下部ストッパー２は、操作軸８を中心とする回動によって、回動軌跡上に前記左右の下部ストッパー２、２の下面が対応位置する関係になっており、図１に示すように、左右の上部ストッパー４，４の両方ともに偏芯カム９が作用しない回動位置では、夫々の上部ストッパー４，４が可動部材１２に対して垂れ下がった非受止め状態になるとともに、左右両方の下部ストッパー２，２の下面に夫々に操作片１０が当接して持ち上がった受止め支持状態になる。
【００３０】
図３に示すように、右方の上部ストッパー４に偏芯カム９が作用する回動位置では、右方の上部ストッパー４が可動部材１２に対して持ち上がった受止め状態になるとともに、左方の上部ストッパー４が可動部材１２に対して垂れ下がった非受止め状態になり、右方の上部ストッパー４側の下部ストッパー２は操作片１０が当接しない垂れ下がった非受止め状態となり、また、左方の上部ストッパー４側の下部ストッパー２に対しては操作片１０が当接して持ち上がった受止め状態となる。例えば、選択ボタンスイッチ（図示せず）を操作して商品Ｇを選択することによってモーター装置７が駆動状態となって、図１に示すように、右方の下部ストッパー２が商品Ｇを受止め支持する状態から、図３に示すように、偏芯カム９が回動して、右方の上部ストッパー４が非受止め状態から受止め支持状態となるとともに、右方の下部ストッパー２が払出し揺動することに続いて、再び、図１に示すように、夫々の上部ストッパー４が非受止め状態になるとともに、左右両方の下部ストッパー２の下面に夫々に操作片１０が当接して、残る商品Ｇを受止め支持する状態に戻るようになっている。
【００３１】
下部ストッパー２が垂れ下がった状態においては、図３、図４に示すように、売切れ感知レバー３の先端のストッパー片３ｄが払出しフレームＢ部分に接当して、下部ストッパー２に対して売切れ感知レバー３が突出しない状態になっており、商品Ｇの払出しに対して売切れ感知レバー３が払出しの妨げにならないようになっている。
【００３２】
さらに、図４に示すように、左方の上部ストッパー４に偏芯カム９が作用する状態では、左方の上部ストッパー４が可動部材１２に対して持ち上がった受止め状態になるとともに、右方の上部ストッパー４が可動部材１２に対して垂れ下がった非受止め状態になり、左方の上部ストッパー４側の下部ストッパー２は操作片１０が当接しない垂れ下がった非受止め状態となり、右方の上部ストッパー４側の下部ストッパー２に対しては操作片１０が当接して持ち上がった受止め状態となるようになっており、例えば、選択ボタンスイッチを操作して商品Ｇを選択することによってモーター装置７が駆動状態となって、図１に示すように、右方の下部ストッパー２が商品Ｇを受止め支持する状態から、偏芯カム９が回動して、図４に示すように、左方の上部ストッパー４が非受止め状態から受止め支持状態となるとともに、左方の下部ストッパー２が払出し揺動することに続いて、再び、図１に示すように、夫々の上部ストッパー４，４が非受止め状態になるとともに、左右両方の下部ストッパー２の下面に夫々に操作片１０が当接して、残る商品Ｇを受止め支持する状態に戻るようになっている。
【００３３】
この実施形態においては、前記モーター装置７、操作軸８，上部ストッパー４、下部ストッパー２操作線状体２０から切り替え作動手段６が構成されている。
【００３４】
前記可動部材１２には、高さ変更機構１１における払出しフレームＢに設けられた高さ変更操作ガイド溝１５内の複数位置で選択的に係合可能な高さ変更操作レバー１２ｂが一体形成され、積層方向の高さ等で大きさの異なる商品Ｇに対応して上部ストッパー４を位置変更することができるようになっている。
【００３５】
前記高さ変更機構１１は、図２，図５，図６に示すように、払出しフレームＢ内に組み付けられ、所定幅間隔で平行に対峙し上下方向にレール溝１７Ａが形成された一組のレール部材１７、１７と、幅方向両側のレール支持体１２ａ，１２ａを対応するレール溝１７Ａに嵌め込んで、レール溝１７Ａに沿って上下方向に移動が可能なポリアセタール（ＰＯＭ）等の合成樹脂によって一体形成された可動部材１２と、この可動部材１２の下端に基端を枢支連結した上部ストッパー４と、可動部材１２の上部に一体形成され幅方向内方に弾性付勢する高さ変更操作レバー１２ｂと、この高さ変更操作レバー１２ｂの内方に向く弾性付勢力によって、レバー部分１２ｃが嵌合溝１３ａに嵌合する状態では、可動部材１２の上下動を規制し、可動部材１２を弾性付勢力に抗して外方に引っ張ってレバー部分１２ｃと嵌合溝１３ａとの嵌合を解除した状態では、レバー部分１２ｃに連続して形成された細枠体状のレバー中間部１２ｄが縦溝１３ｂに位置して可動部材１２を上下方向に移動可能であるとともに、上下方向に間隔を開けて形成された複数の嵌合溝１３ａの一つに引っ張り状態を解除することで嵌合が可能な高さ変更操作ガイド溝１３とから構成されている。
【００３６】
前記可動部材１２は在庫商品Ｇの変更に伴って対応する上部ストッパー４，４の高さを変更するような場合、高さ変更操作ガイド溝１３を通して外部に配備された高さ変更操作レバー１２ｂを、ノブ自体の弾性付勢力に抗して引っ張ってレバー部分１２ｃを嵌合溝１３ａから離脱させて、この状態でレバー中間部１２ｄを縦溝１３ｂに沿って移動して、目的とする高さ位置に対応する嵌合溝１３ａに嵌合することによって、上部ストッパー４，４の高さ変更が可能になっている。
【００３７】
また、可動部材１２の背面下部には、図９（イ）、（ロ）に示すように、上部ストッパー４，４の揺動軸部４ａを支承する横倒しＵ字状の軸受け部１２ｅが、収納搬送通路１，１とは反対側に向いて開口形成され、製作段階で可動部材１２の軸受け部１２ｅに、上部ストッパー４，４の枢支軸４ａを嵌め込むことによって、両者を簡単に組み付けることができるようになっている。
【００３８】
また、軸受け部１２ｅの開口内周面には、枢支軸４ａを嵌め込む際には合成樹脂の弾性変形力によって容易に嵌め込みすることができるが、嵌め込まれた状態で揺動軸部４ａが勝手に抜け出さないように、小半球状の抜止め突起１２ｆが一体形成されている。
【００３９】
このような構成にすることによって、自動販売機の商品選択スイッチが非作動状態では、図７に示すように、左右両下部ストッパー２は操作片１０によって持ち上がった商品受止め状態にあり、この状態から商品選択スイッチが選択されることによって、図８に示すように、操作軸８が９０度回動して、左方の下部ストッパー２による商品支持状態が解除され、この下部ストッパー２がコイルスプリング５の引っ張り収縮によって垂れ下がり状態になることに連動して、左方の収納搬送通路１において最下端にあった商品Ｇが落下により払い出されるとともに、この払出しによる操作軸８の回動によって、図８に示すように、払い出された商品Ｇ側の上部ストッパー４，４が偏芯カム９のカム部に押されて持ち上がり状態になって、商品Ｇの払出しが終了するまで下から２番目の商品Ｇ２が受止め支持される。
【００４０】
そして、これら動作に連続して、さらに操作軸８が９０度回動又は９０度逆回動することによって、図７に示すように、左右両下部ストッパー２，２が操作片１０によって受止められた持ち上げ状態になるとともに、両上部ストッパー４，４に対する偏芯カム９が非作用状態になることによって、左方の収納搬送通路１における下から２番目の商品Ｇが最下端の商品Ｇ１として、左方の下部ストッパー２上に受止め支持される。
【００４１】
ここで、各上部ストッパー４，４の商品押え部３０によって商品Ｇの受止め支持がなされるが、幅方向中央部３０Ａの押え面による受止め支持力に比べて、幅方向中央部３０Ａの押え面と幅方向両端部３０Ｂの押え面との間の段差面３０Ｃになるほど受止め支持力が漸次に弱くなる状態を形成することができ、段差面３０Ｃによって受止め支持の強い部分から弱い部分へと変遷する受止め支持部分が形成されることになるので、主に上部ストッパー４の幅方向中央部３０Ａに押圧力が集中して商品Ｇを受止め支持する状態を形成することができるとともに、商品コーナー部分に上部ストッパー４，４の商品押え部３０の幅方向両端部３０Ｂが対応することがあっても、商品コーナー部分への押圧力は小さいので、払出された商品Ｇに受止め痕跡、或いは、商品Ｇからにじみ出しや液漏れを生じることがないとともに、例え、図１１，図１２に示すように、重量バランスの悪い受止め支持状態にあったとしても、先行する上部ストッパー４，４の商品押え部３０の幅方向中央部３０Ａから、これよりもずれた位置で幅方向両端部３０Ｂにいたるまで連続して商品Ｇを受止め支持することになり、バランスのよい商品保持状態を形成することができるので、大型商品Ｇであっても、商品Ｇが傾くといった、所謂、たおれなどを生じ難い。
【００４２】
〔その他の実施形態〕
（１）　上記実施形態においては、上部ストッパー４，４の商品押え部３０が凸形状に形成されていて，幅方向中央部３０Ａの押え面と幅方向両端部３０Ｂの押え面との間の段差面３０Ｃが弧状に形成されているものについて説明したが、本発明はこれに限らず、例えば、階段状に形成されているものであってもよい。
【００４３】
（２）　上記実施形態においては、ジュース類、牛乳類等の飲料を立方体形態の紙パックからなる包装容器に詰め込んだ商品Ｇ等を対象とする自動販売機の商品払出装置Ａについて説明したが、本発明はこれに限らず、立方体形態のペットボトルからなる包装容器の商品Ｇ等を対象とする自動販売機の商品払出装置に適用してもよい。
【図面の簡単な説明】
【図１】本発明の商品払出装置の一実施形態を示す側断面図
【図２】商品払出装置の主要な構成部材を示す分解斜視図
【図３】下部ストッパーと上部ストッパーとの関係を示す動作説明図
【図４】下部ストッパーと上部ストッパーとの関係を示す動作説明図
【図５】商品払出装置図の正断面図
【図６】商品払出装置図の正断面図
【図７】商品と下部ストッパーと上部ストッパーとの関係を示す動作説明図
【図８】商品と下部ストッパーと上部ストッパーとの関係を示す動作説明図
【図９】可動部材の軸受け部と上部ストッパーの枢支軸とを示す要部断面図
（イ）は軸受け部と枢支軸を示す要部断面図
（ロ）は軸受け部に枢支軸を嵌合した状態を示す要部断面図
【図１０】下部ストッパーと売切れ感知レバーとを示す要部断面図
【図１１】商品と上部ストッパーとの関係を模式的に示す説明図
【図１２】商品と上部ストッパーとの関係を模式的に示す説明図
【図１３】従来の商品払出装置における商品と下部ストッパーと上部ストッパーとの関係を示す動作説明図
【図１４】従来の商品払出装置における商品と下部ストッパーと上部ストッパーとの関係を示す動作説明図
【図１５】従来の商品払出装置における商品と上部ストッパーとの関係を模式的に示す説明図
【図１６】従来の商品払出装置における商品と上部ストッパーとの関係を模式的に示す説明図
【符号の説明】
Ａ　　　　　　　　商品払出装置
Ｂ　　　　　　　　払出しフレーム
Ｇ　　　　　　　　商品
Ｇ１　　　　　　　最下端に位置する商品
Ｇ２　　　　　　　最下端から二番目に位置する商品
１　　　　　　　　収納搬送通路
２　　　　　　　　下部ストッパー
４　　　　　　　　上部ストッパー
１２　　　　　　　可動部材
１２ｂ　　　　　　高さ変更操作レバー
３０　　　　　　　商品押え部
３０Ａ　　　　　　幅方向中央部
３０Ｂ　　　　　　幅方向両端部
３０Ｃ　　　　　　段差面
【図１】
2004102454.tif 000003
【図２】
2004102454.tif 000004
【図３】
2004102454.tif 000005
【図４】
2004102454.tif 000006
【図５】
2004102454.tif 000007
【図６】
2004102454.tif 000008
【図７】
2004102454.tif 000009
【図８】
2004102454.tif 000010
【図９】
2004102454.tif 000011
【図１０】
2004102454.tif 000012
【図１１】
2004102454.tif 000013
【図１２】
2004102454.tif 000014
【図１３】
2004102454.tif 000015
【図１４】
2004102454.tif 000016
【図１５】
2004102454.tif 000017
【図１６】
2004102454.tif 000018